(57)【要約】【課題】糸刃自体に切れ刃を設けることにより、切断能力に優れて障害物の周囲の草木等を効率的に切断できる刈払い用回転刃を提供する。【解決手段】中心位置に刈払い機への取付穴が形成された円板状の台金と、該台金の外周部に切れ刃を有して複数本取り付けられた糸刃と、備え、台金の回転による糸刃の回転で草木等を切断することを特徴とする。前記糸刃は、樹脂製もしくは金属製の糸と、該糸の所定位置に取り付けられた金属製もしくは樹脂製の切れ刃を備え、前記切れ刃は、刃を有して糸に挿通状態で複数個取り付けられる。【選択図】図１
2008099654.tif 000002
【特許請求の範囲】
【請求項１】
中心位置に刈払い機への取付穴が形成された円板状の台金と、該台金の外周部に切れ刃を有して複数本取り付られた糸刃と、を備え、前記台金の回転による糸刃の回転で草木等を切断することを特徴とする刈払い用回転刃。
【請求項２】
前記糸刃は、樹脂製もしくは金属製の糸と、該糸の所定位置に取り付けられた金属製もしくは樹脂製の切れ刃と、を有することを特徴とする請求項１に記載の刈払い用回転刃。
【請求項３】
前記切れ刃は、刃を有して前記糸に挿通状態で複数個取り付けられていることを特徴とする請求項２に記載の刈払い用回転刃。
【請求項４】
前記切れ刃は、糸刃に一体形成されていることを特徴とする請求項１ないし３のいずれかに記載の刈払い用回転刃。
【発明の詳細な説明】
【技術分野】
【０００１】  本発明は、台金の外周部に糸刃が取り付けられた刈払い用回転刃に係わり、特に糸刃自体に切れ刃が設けられた刈払い用回転刃に関する。
【背景技術】
【０００２】  従来、刈払い用回転刃としては、円盤状の台金の外周縁に形成された多数のチップ取付凹部に、超硬金属からなる切れ刃としてのチップをそれぞれロウ付け固着したチップソー（例えば特許文献１参照）が知られている。また、刈払い機の回転軸からチップソーを取り外して、回転軸に樹脂糸等が所定回数巻回されたマガシンを取り付けることにより使用される糸刃（特許文献２参照）も知られている。
【特許文献１】特許第２８４９９８５号公報
【特許文献２】特開平９−２０５８４３号公報
【発明の開示】
【発明が解決しようとする課題】
【０００３】  しかしながら、チップソーにおいては、切断能力に優れたチップによって草木を切断するため、例えば庭石、レンガ等の障害物がある場合にチップがこれらに当たって破損する虞があることから、障害物の周囲の草木を刈払いすることが困難である。一方、糸刃の場合は、障害物に当たっても糸刃自体が破損することがなく、その周囲の草木を刈払いすることができるものの、回転する一対の糸によって草木を切断するため、チップソーに比較して切断能力が大幅に劣り、刈払い作業の効率が劣ると共に、所定の切断能力を得るためには刈払い機のエンジンの回転数を上げる必要があり、エンジン自体の寿命低下や高回転による振動で作業者への身体的負担が大きくなり易い。【０００４】  本発明は、このような事情に鑑みてなされたもので、その目的は、糸刃自体に切れ刃を設けることにより、切断能力に優れて障害物の周囲の草木等を効率的に切断できる刈払い用回転刃を提供することにある。
【課題を解決するための手段】
【０００５】  かかる目的を達成すべく、本発明のうち請求項１に記載の発明は、中心位置に刈払い機への取付穴が形成された円板状の台金と、該台金の外周部に切れ刃を有して複数本取り付けられた糸刃と、備え、前記台金の回転による糸刃の回転で草木等を切断することを特徴とする。【０００６】  また、請求項２に記載の発明は、前記糸刃が、樹脂製もしくは金属製の糸と、該糸の所定位置に取り付けられた金属製もしくは樹脂製の切れ刃と、を有することを特徴とし、この場合、前記切れ刃は、請求項３に記載の発明のように、刃を有して前記糸に挿通状態で複数個取り付けられていることを特徴とする。さらに、請求項４に記載の発明は、前記切れ刃が糸刃に一体形成されていることを特徴とする。
【発明の効果】
【０００７】  本発明の請求項１に記載の発明によれば、台金の外周部に切れ刃を有する複数本の糸刃が取り付けられているため、糸刃自体に設けた切れ刃により、糸刃自体の切断能力を高めて、障害物の周囲の草木等であっても効率的に切断（刈払い）することができる。【０００８】  また、請求項２に記載の発明によれば、請求項１に記載の発明の効果に加え、糸刃が、樹脂製もしくは金属製の糸と、この糸の所定位置に取り付けられた金属製もしくは樹脂製の切れ刃を備えるため、糸に切れ刃を挿通させるという簡易な構成により、糸刃の切断能力を十分に高めることができる。【０００９】  また、請求項３に記載の発明によれば、請求項２に記載の発明の効果に加え、切れ刃が糸に挿通状態で複数個取り付けられているため、糸刃自体の切断能力をより一層高めることができる。【００１０】  さらに、請求項４に記載の発明によれば、請求項１ないし３に記載の発明の効果に加え、切れ刃が糸刃に一体形成されているため、糸刃自体の構成を簡略化して安価な糸刃を得ることができる。
【発明を実施するための最良の形態】
【００１１】  以下、本発明を実施するための最良の形態を図面に基づいて詳細に説明する。
図１〜図３は、本発明に係わる刈払い用回転刃の一実施形態を示し、図１がその斜視図、図２がその要部の拡大図、図３がその変形例を示す拡大図である。【００１２】  図１において、チップソー１は、鋼板もしくは硬質樹脂からなる円盤状の台金を２を有し、この台金２の中心位置には、図示しない刈払機への取付用の所定内径の取付穴３が形成されている。また、台金２の外周部２ａで円周方向の等分（図では三等分）位置には、糸刃取付孔４が形成され、この各糸刃取付孔４に糸刃５がそれぞれ取り付けられている。【００１３】  前記糸刃５は、金属製もしくは樹脂製の所定長さの糸６と、この糸６に挿通状態でかつ所定間隔で取り付けられた複数個（図では３個）の切れ刃７を有している。この時、切れ刃７は、中心位置に設けた糸挿通孔７ａが糸６に固定した球状の係止部８に係止されることにより、糸６の先端方向への抜けが防止されるようになっている。なお、糸６の最も台金２側となる切れ刃７の台金２側には係止部８ａが固定されており、この係止部８ａにより切れ刃７の台金２方向への移動が規制されている。【００１４】  これらの係止部８、８ａの構成は、図１に示すように糸６とは別体の鉛錘、金属パイプ等を糸６に圧着固定したり、図２に示すように糸６自体に係止部としての結び目を設けることにより形成する等、適宜形態の係止部８、８ａを採用することができる。また、係止部８ａを各切れ刃７の台金２側に設けて、各切れ刃７が一対の係止部８、８ａ間に位置するように構成しても良い。【００１５】  また、前記切れ刃７は、断面略三角形状に形成されて、その径大側の端面により刃７ｂが形成されている。このように構成された糸刃５は、図２に示すように、糸６の基端部が台金２の前記糸刃取付孔４に巻回されて締結紐９等で締結されることにより、台金２に３本の糸刃５が取り付けれている。なお、糸刃５の台金２への取付構造は、図２に示す締結紐９による締結に限らず、例えば図３に示すように加締部材１０を使用したり、糸６自体を糸刃取付孔４に縛り付ける等、他の適宜の取付構造を採用することができる。【００１６】  この回転刃１によれば、３本の糸刃５がそれぞれ取り付けられた台金２の取付穴３を、刈払機の回転軸に装着してエンジンを作動させると、台金２が図１の矢印イの如く回転し、この台金２の回転に追従して各糸刃５が後方側に反った状態で図１の矢印ロの如く回転する。この各糸刃５の回転により、切れ刃７の刃７ｂあるいは糸６自体により草木が刈払い（切断）され、この時、回転刃１の刃が切れ刃７を有する糸刃５であることから、障害物の周囲であっても、糸刃５が障害物に接触しつつ切れ刃７によりその周囲の草木を良好に刈払いできることになる。【００１７】  このように、上記実施形態の回転刃１よれば、台金２の外周部２ａに切れ刃７を有する３本の糸刃５が取り付けられているため、糸刃５自体に設けた切れ刃７により、糸刃５自体の切断能力を高めることができる。特に、糸刃５が、樹脂製もしくは金属製の糸６と、この糸６の所定位置に挿通状態で取り付けられた３個の金属製もしくは樹脂製の切れ刃７を備えることから、糸６に切れ刃７を挿通させるという簡易な構成により、糸刃５の切断能力を従来の糸刃に比較して大幅に高めることができる。【００１８】  つまり、従来のチップソーの持つ利点と従来の糸刃のもつ利点を共に備えた回転刃１を得ることができ、その結果、例えば障害物の周囲の草木等であっても、チップの破損等を心配することなく刈払いできて刈払い作業の能率向上を図ることができると共に、刈払い機のエンジンへの負担を軽減させてその寿命を延ばしたり、作業者への身体的な負担を軽減させることが可能となる。また、糸６に切れ刃７を挿通させることで糸刃５が形成できるため、糸刃５自体のコストアップを抑えることができると共に、台金２の形状が簡略化されているため、その加工が容易になる等、構成簡易で安価な回転刃１を得ることができる。【００１９】  ところで、本発明における切れ刃７の形状は、図１及び図２に示した形状に限定されず、例えば図４に示すように構成することもできる。すなわち、図４（ａ）に示す切れ刃７は、前記切れ刃７の本体の周壁に、草木切断時の絡み付き防止用等の開口７ｃ（もしくは凹部）を設けたものであり、図４（ｂ）に示す切れ刃７は、図４（ａ）に示す切れ刃７の高さ寸法を小さくしかつ刃７ｂの外径φを大きくしたものである。【００２０】  また、図４（ｃ）に示す切れ刃７は、挿通孔７ａを有する筒状の本体の外周面に４枚の三角形状の刃板７ｄを固着し、この刃板７ｄの端部に刃７ｂを形成するようにしたものであり、また、図４（ｄ）に示す切れ刃７は、前記刃板７ｄを本体の長手方向に位置をずらして固着したものである。これらの各切れ刃７は、その外径φが５〜１０ｍｍ程度が好ましく、材質も前述したように、用途に応じて鋼板、硬質プラスチック、硬質ビニール等の適宜のものが使用される。【００２１】  なお、上記実施形態においては、糸刃５を台金２の糸刃取付孔４に締結や加締めにより固着したが、例えば図５に示すように、着脱可能に取り付けることもできる。すなわち、台金２の外周部２ａに３個の糸刃取付孔４ａ〜４ｃを形成し、２つの糸刃取付孔４ａ、４ｂに糸刃５の糸６の端部を係止させると共に、糸６の端部に設けた係止突起１１を糸刃取付孔４ｃの係止溝４ｃ１に係止させる。【００２２】  このように構成すれば、糸６の端部を３つの糸刃係止孔４ａ〜４ｃに挿通して係止させること等により糸刃５を台金２に取り付けできたり、取り付けられた糸刃５を台金２から取り外しできて、使用により摩耗した糸刃５の交換作業を簡単に行うことができて、回転刃１の使い勝手を向上させることができる。この場合、糸刃５の着脱構造は、図示した例に限定されず、例えば糸刃５の糸６の端部にフックを設けて、これを台金２の係止孔に着脱可能に係止させる等、他の適宜に構造を採用することもできる。【００２３】  また、上記実施形態においては、糸刃５が糸６と切れ刃７を有する構成としたが、本発明はこれに限定されず、例えば図３の二点差線で示すように、糸刃５の糸６自体に切れ刃７を一体形成しても良く、この時、糸６と別体の前記切れ刃７とを併用する構成とすることも可能である。さらに、上記実施形態における、台金２の形状や糸刃５の形態等は一例であって、例えば糸刃５の数を２本や４本以上とする等、その数を適宜に増減させることもできるし、糸６に取り付けられる切れ刃７の数も適宜に増減す��ことができる。
【産業上の利用可能性】
【００２４】  本発明は、糸刃のみを備えた刈払い用回転刃に限らず、例えばチップが固着された台金の外周部に糸刃を有する回転刃等、台金を有する他の全ての刈払い用回転刃にも適用できる。
【図面の簡単な説明】
【００２５】
【図１】  本発明に係わる刈払い用回転刃の斜視図
【図２】  同その要部の拡大図
【図３】  同その変形例を示す拡大図
【図４】  同切れ刃の変形例を示す斜視図
【図５】  同糸刃の取付状態の変形例を示す斜視図
【符号の説明】
【００２６】  １・・・回転刃、２・・・台金、２ａ・・・外周部、３・・・取付穴、４、４ａ〜４ｃ・・・糸刃取付孔、４ｃ１・・・係止溝、５・・・糸刃、６・・・糸、７・・・切れ刃、７ａ・・・挿通孔、７ｂ・・・刃、７ｃ・・・開口、７ｄ・・・刃板、８、８ａ・・・係止部、９・・・締結紐、１０・・・加締部材、１１・・・係止突起。
【図１】
2008099654.tif 000003
【図２】
2008099654.tif 000004
【図３】
2008099654.tif 000005
【図４】
2008099654.tif 000006
【図５】
2008099654.tif 000007